(57)【特許請求の範囲】
【請求項１】
構造体における固定交差接続において、
ａ．第１及び第２の縦側面を有する細長い縦部材、
ｂ．第１の底面、第１の側面、及び第１の端を有する第１の細長い横部材であり、前記第１の細長い横部材は、前記細長い横部材の前記第１の端が前記細長い縦部材の前記第１の縦側面と第１の継目を形成するように前記細長い縦部材と交差し、
ｃ．第２の底面、第２の側面、及び第２の端を有する第２の細長い横部材であり、前記第２の細長い横部材は、前記細長い縦部材の上の前記第１の継目とほぼ同じ高さで前記細長い縦部材と交差し、前記第２の細長い横部材の前記第２の端が前記細長い縦部材の前記第２の縦側面と第２の継目を形成するようにしており、
ｄ．前記第１及び第２細長い横部材を前記細長い縦部材に固く繋ぐための形状をした一体作り剛タイであり、前記タイは、
１．前記細長い縦部材の前記第１の縦側面の一部分と重ねて配置された第１の縦側面取付タブ、
２．前記第１の細長い横部材の前記第１の底面の一部分と重ねて配置された第１の底面取付タブ、
３．前記第１の縦側面取付タブ及び前記第１の底面取付タブと一体にかつそれらの間に形成され、前記第１の側面取付タブまたは前記第１の底面取付タブのいずれとも異なる平面内にある第１の控え板、
４．前記細長い縦部材の前記第２の縦側面の一部分と重ねて配置された第２の縦側面取付タブ、
５．前記第２の細長い横部材の前記第２の底面の一部分と重ねて配置された第２の底面取付タブ、
６．前記第２の縦側面取付タブ及び前記第２の底面取付タブと一体にかつそれらの間に形成され、前記第２の控え板は前記第２側部取付けタブまたは前記第２の底面取付タブのいずれとも異なる平面内にある第２の控え板、
７．前記第１の細長い横部材の前記第１の側面の一部分と重ねて配置された第１の側面取付タブ、
８．前記第２の細長い横部材の前記第２側面の一部分と重ねて配置された第２の側面取付タブ、
９．前記第１の側面取付タブと前記第２の側面取付タブと一体にかつそれらの間に形成され、前記第１の側面取付けタブまたは前記第２の側面取付けタブのいずれとも異なる平面内にある第３の控え板、
１０．前記第１の控え板、前記第２の控え板及び前記第３の控え板を接続するウェブ部材を備え、
ｅ．前記第１の縦側面取付タブを前記細長い縦部材の前記第１の縦側面に取付ける第１の締め具、
ｆ．前記第１の底面取付タブを前記第１の細長い横部材の前記第１の底面に取付ける第２の締め具、
ｇ．前記第２の縦側面取付タブを前記細長い縦部材の前記第２の縦側面に取付ける第３の締め具、
ｈ．前記第２の底面取付タブを前記第２の細長い横部材の前記第２の底面に取付ける第４の締め具、
ｉ．前記第１の側面取付タブを前記第１の細長い横部材の前記第１の側面に取付ける第５の締め具、及び
ｊ．前記第２の側面取付タブを前記第２の細長い横部材の前記第２の側面に取付ける第６の締め具、を備える構造体における剛交差継手。
【請求項２】
前記ウェブ部材の形が三角形である請求項１に記載の継手。
【請求項３】
前記ウェブ部材が前記第１、第２及び第３の控え板に一体に接続されている請求項１に記載の継手。
【請求項４】
前記第１、第２及び第３の控え板の形が三角形である請求項１に記載の継手。
【請求項５】
前記ウェブ部材が前記第１、第２及び第３の控え板に一体に接続されている請求項２に記載の継手。
【請求項６】
前記第１、第２及び第３の控え板の形が三角形である請求項５に記載の継手。
【請求項７】
前記第１、第２及び第３の控え板の形が矩形である請求項１に記載の継手。
【請求項８】
前記第１、第２、および、第３の控え板は、ほぼ平坦な部材である請求項１に記載の継手。
【請求項９】
構造体における固定交差接続において、
ａ．第１及び第２の縦側面を有する細長い縦部材、
ｂ．第１の底面、第１の側面、及び第１の端を有する第１の細長い横部材であり、前記第１の細長い横部材は、前記細長い横部材の前記第１の端が前記細長い縦部材の前記第１の縦側面と第１の継目を形成するように前記細長い縦部材と交差し、
ｃ．第２の底面、第２の側面、及び第２の端を有する第２の細長い横部材であり、前記第２の細長い横部材は、前記細長い縦部材の上の前記第１の継目とほぼ同じ高さで前記細長い縦部材と交差し、前記第２の細長い横部材の前記第２の端が前記細長い縦部材の前記第２の縦側面と第２の継目を形成するようにしており、
ｄ．前記第１及び第２細長い横部材を前記細長い縦部材に固く繋ぐための形状をした一体作り剛タイであり、前記タイは、
１．前記細長い縦部材の前記第１の縦側面の一部分と重ねて配置された第１の縦側面取付タブ、
２．前記第１の細長い横部材の前記第１の底面の一部分と重ねて配置された第１の底面取付タブ、
３．前記第１の縦側面取付タブ及び前記第１の底面取付タブと一体にかつそれらの間に形成された第１の控え板、
４．前記細長い縦部材の前記第２の縦側面の一部分と重ねて配置された第２の縦側面取付タブ、 
５．前記第２の細長い横部材の前記第２の底面の一部分と重ねて配置された第２の底面取付タブ、
６．前記第２の縦側面取付タブ及び前記第２の底面取付タブと一体にかつそれらの間に形成された第２の控え板、
７．前記第１の細長い横部材の前記第１の側面の一部分と重ねて配置された第１の側面取付タブ、
８．前記第２の細長い横部材の前記第２側面の一部分と重ねて配置された第２の側面取付タブ、
９．前記第１の側面取付タブと前記第２の側面取付タブと一体にかつそれらの間に形成された第３の控え板、
１０．前記第１の控え板、前記第２の控え板及び前記第３の控え板を接続するウェブ部材を備え、
ｅ．前記第１の縦側面取付タブを前記細長い縦部材の前記第１の縦側面に取付ける第１の締め具、
ｆ．前記第１の底面取付タブを前記第１の細長い横部材の前記第１の底面に取付ける第２の締め具、
ｇ．前記第２の縦側面取付タブを前記細長い縦部材の前記第２の縦側面に取付ける第３の締め具、
ｈ．前記第２の底面取付タブを前記第２の細長い横部材の前記第２の底面に取付ける第４の締め具、
ｉ．前記第１の側面取付タブを前記第１の細長い横部材の前記第１の側面に取付ける第５の締め具、及び
ｊ．前記第２の側面取付タブを前記第２の細長い横部材の前記第２の側面に取付ける第６の締め具、を備える構造体における剛交差継手。
【請求項１０】
ａ.  前記第1の控え板が、前記第1の側面取付けタブまたは前記第1の底面取付けタブのいずれとも異なる平面内に位置し、
ｂ.  前記第2の控え板が、前記第2の側面取付けタブまたは前記第2の底面取付けタブのいずれとも異なる平面内に位置し、
および、
ｃ.  前記第3の控え板は、前記第1の側面取付けタブまたは前記第2の側面取付けタブのいずれとも異なる平面内にある請求項9に記載の継手。
【請求項１１】
前記第１、第２および第３の控え板は、ほぼ平坦な部材である請求項９に記載の継手。
【請求項１２】
構造体における固定交差接続において、
ａ.  第1及び第2の縦側面を有する細長い縦部材、
ｂ.  第1の底面、第1の側面、及び第1の端を有する第1の細長い横部材であり、前記第1の細長い横部材は、前記第1の細長い横方向の部材の前記第1の端が第1の継目を形成し、前記細長い縦の部材の前記第1の側面と合うように前記細長い縦部材と交差し、
ｃ.  第2の底面、第2の側面、及び第2の端を有する第2の細長い横部材であり、前記第2の細長い横部材は、前記細長い縦部材の上の第1の継目とほぼ同じ高さで前記細長い縦部材と交差し、前記第2の細長い横部材の前記第2の端が前記細長い縦部材の前記第2の縦側面と第2の継目を形成するようにしており、
ｄ.  前記第1及び第2の細長い横部材を前記細長い縦部材に固く繋ぐための形状をした一体作り剛タイであり、前記タイは、
1.  前記第1の側面取付けタブが前記第1の細長い横方向の部材の前記第1の端と整列配置するように、前記細長い縦部材の前記第1の縦側面の一部分と重ねて配置された第1の縦側面取付けタブ、
2.  前記第1の細長い横部材の前記第1の底面の一部分と重ねて配置された第1の底面取付けタブ、
3.  前記第1の縦側面取付けタブ及び前記第1の底面取付けタブと一体にかつそれらの間に形成された第1の控え板、
4.  前記第2の側面取付けタブが前記第2の細長い横方向の部材の前記第2の端と整列配置するように、前記細長い縦部材の前記第2の縦側面の一部分と重ねて配置された第2の縦側面取り付けタブ、
5. 前記第2の細長い横部材の前記第2の底面の一部分と重ねて配置された第2の底面取付けタブ、
6.  前記第2の縦側面取付けタブ及び前記第2の底面取付けタブと一体にかつそれらの間に形成された第2の控え板、
7. 前記第1の細長い横部材の前記第1の側面の一部分と重ねて配置された第1の側面取付けタブ、
8.  前記第2の細長い横部材の前記第2の側面の一部分と重ねて配置された第2の側面取付けタブ、
9. 前記第1の側面取付けタブと前記第2の側面取付けタブと一体にかつそれらの間に形成された第3の控え板、
10.前記第1の控え板、前記第2の控え板及び前記第3の控え板を接続するウェブ部材を備え、
ｅ.  前記第1の縦側面取付けタブを前記細長い縦部材の前記第1の縦側面に取付ける第1の締め具、
ｆ.  前記第1の底面取付けタブを前記第1の細長い横部材の前記第1の底面に取付ける第2の締め具、
ｇ.  前記第2の縦側面取付けタブを前記細長い縦部材の前記第2の縦側面に取付ける第3の締め具、
ｈ. 前記第2の底面取付けタブを前記第2の細長い横部材の前記第2の底面に取付ける第4の締め具、
ｉ.
前記第1の側面取付けタブを前記第1の細長い横部材の前記第1の側面に取付ける第5の締め具、及び
ｊ.  前記第2の側面取付けタブを前記第2の細長い横部材の前記第2の側面に取付ける第6の締め具を備える構造体における剛交差継手。
【請求項１３】
構造体における固定交差接続において、
ａ．第１及び第２の縦側面を有する細長い縦部材、
ｂ．第１の底面、第１の側面、及び第１の端を有する第１の細長い横部材であり、前記第１の細長い横部材は、前記細長い横部材の前記第１の端が前記細長い縦部材の前記第１の縦側面と第１の継目を形成するように前記細長い縦部材と交差し、
ｃ．第２の底面、第２の側面、及び第２の端を有する第２の細長い横部材であり、前記第２の細長い横部材は、前記細長い縦部材の上の前記第１の継目とほぼ同じ高さで前記細長い縦部材と交差し、前記第２の細長い横部材の前記第２の端が前記細長い縦部材の前記第２の縦側面と第２の継目を形成するようにしており、
ｄ．前記第１及び第２細長い横部材を前記細長い縦部材に固く繋ぐための形状をした一体作り剛タイであり、前記タイは、
１．前記細長い縦部材の前記第１の縦側面の一部分と重ねて配置された第１の縦側面取付タブ、
２．前記第１の細長い横部材の前記第１の底面の一部分と重ねて配置された第１の底面取付タブ、
３．前記第１の縦側面取付タブ及び前記第１の底面取付タブと一体にかつそれらの間に形成された第１の三角控え板、
４．前記細長い縦部材の前記第２の縦側面の一部分と重ねて配置された第２の縦側面取付タブ、
５．前記第２の細長い横部材の前記第２の底面の一部分と重ねて配置された第２の底面取付タブ、
６．前記第２の縦側面取付タブ及び前記第２の底面取付タブと一体にかつそれらの間に形成された第２の三角控え板、
７．前記第１の細長い横部材の前記第１の側面の一部分と重ねて配置された第１の側面取付タブ、
８．前記第２の細長い横部材の前記第２側面の一部分と重ねて配置された第２の側面取付タブ、
９．前記第１の側面取付タブと前記第２の側面取付タブと一体にかつそれらの間に形成された第３の三角控え板、
１０．前記第１の控え板、前記第２の控え板及び前記第３の控え板を接続するウェブ部材を備え、
ｅ．前記第１の縦側面取付タブを前記細長い縦部材の前記第１の縦側面に取付ける第１の締め具、
ｆ．前記第１の底面取付タブを前記第１の細長い横部材の前記第１の底面に取付ける第２の締め具、
ｇ．前記第２の縦側面取付タブを前記細長い縦部材の前記第２の縦側面に取付ける第３の締め具、
ｈ．前記第２の底面取付タブを前記第２の細長い横部材の前記第２の底面に取付ける第４の締め具、
ｉ．前記第１の側面取付タブを前記第１の細長い横部材の前記第１の側面に取付ける第５の締め具、及び
ｊ．前記第２の側面取付タブを前記第２の細長い横部材の前記第２の側面に取付ける第６の締め具を備える構造体における剛交差継手。
【請求項１４】
構造体における固定交差接続において、
ａ．第１及び第２の縦側面を有する細長い縦部材、
ｂ．第１の底面、第１の側面、及び第１の端を有する第１の細長い横部材であり、前記第１の細長い横部材は、前記細長い横部材の前記第１の端が前記細長い縦部材の前記第１の縦側面と第１の継目を形成するように前記細長い縦部材と交差し、
ｃ．第２の底面、第２の側面、及び第２の端を有する第２の細長い横部材であり、前記第２の細長い横部材は、前記細長い縦部材の上の前記第１の継目とほぼ同じ高さで前記細長い縦部材と交差し、前記第２の細長い横部材の前記第２の端が前記細長い縦部材の前記第２の縦側面と第２の継目を形成するようにしており、
ｄ．前記第１及び第２細長い横部材を前記細長い縦部材に固く繋ぐための形状をした一体作り剛タイであり、前記タイは、
１．前記細長い縦部材の前記第１の縦側面の一部分と重ねて配置された第１の縦側面取付タブ、
２．前記第１の細長い横部材の前記第１の底面の一部分と重ねて配置された第１の底面取付タブ、
３．前記第１の縦側面取付タブ及び前記第１の底面取付タブと一体にかつそれらの間に形成された第１の矩形控え板、
４．前記細長い縦部材の前記第２の縦側面の一部分と重ねて配置された第２の縦側面取付タブ、
５．前記第２の細長い横部材の前記第２の底面の一部分と重ねて配置された第２の底面取付タブ、
６．前記第２の縦側面取付タブ及び前記第２の底面取付タブと一体にかつそれらの間に形成された第２の矩形控え板、
７．前記第１の細長い横部材の前記第１の側面の一部分と重ねて配置された第１の側面取付タブ、
８．前記第２の細長い横部材の前記第２側面の一部分と重ねて配置された第２の側面取付タブ、
９．前記第１の側面取付タブと前記第２の側面取付タブと一体にかつそれらの間に形成された第３の矩形控え板、
１０．前記第１の控え板、前記第２の控え板及び前記第３の控え板を接続するウェブ部材を備え、
ｅ．前記第１の縦側面取付タブを前記細長い縦部材の前記第１の縦側面に取付ける第１の締め具、
ｆ．前記第１の底面取付タブを前記第１の細長い横部材の前記第１の底面に取付ける第２の締め具、
ｇ．前記第２の縦側面取付タブを前記細長い縦部材の前記第２の縦側面に取付ける第３の締め具、
ｈ．前記第２の底面取付タブを前記第２の細長い横部材の前記第２の底面に取付ける第４の締め具、
ｉ．前記第１の側面取付タブを前記第１の細長い横部材の前記第１の側面に取付ける第５の締め具、及び
ｊ．前記第２の側面取付タブを前記第２の細長い横部材の前記第２の側面に取付ける第６の締め具、を備える構造体における剛交差継手。
【発明の詳細な説明】
【発明の属する技術分野】
本発明は、３本の細長い構造部材の間の継手に関し、それらの部材の内の２本は第３の部材から離して横に配置されている。本発明は、特に３本の直角に配置された構造部材の角継手を形成するのに適している。本発明は、細長い構造部材間の接続をする締め具又は接合具として知られているものを用いている。
【従来の技術】
細長い構造部材を互いに結びつけるさまざまな形式及び形状の接合具が教示されていた。仕上げ材料が構造枠を隠すために適用される建築構造において、接合具は、一般に、強度に対して設計されて審美的考慮事項に対しては設計されない。強度と剛性が一般には支持された構造部材に対する大きな支持面を与え、接続された構造部材に横筋かいを与えるヘビーゲージコネクタを形成することによって与えられる。これらのコネクタは、それらが接続する構造材料の三つ以上の側面の周りを取り巻いたり包むことが多い。本明細書では、これらを外部コネクタという。建設用途における外部コネクタに用いる材料が一般にそれらの強さ求めて選択され、それらの外観を求めて選択されない。一般に、外部コネクタは、それらが接続する構造部材を取り巻くように設計されているので、可変寸法の部材を取り扱うことができいない。
審美的考慮が重要な家具技術においては、設計者が頑丈で審美的に引きつける創造的継手に対する多数のアプローチを採用していた。コネクタがそれらの接続する構造材料の下又は背後に隠されることが多いので、それらは、視界から離されている。本明細書では、これらを内部コネクタという。内部コネクタは、小さいことが多く、それらを気付き難くしている。内部コネクタで作られた継手が一般に外部継手で作られたものほど頑丈でない。
本発明は、外部コネクタで作られた継手により多く似た荷重支持品質と剛性を有し、一部分隠された内部コネクタを用いる３本の構造部材の間の継手を提供する。
【発明が解決しようとする課題】
本発明の目的は、２本の部材を第３の部材に結合するコネクタ又はタイを有する継手を提供することであり、前記２本の部材は、第３の部材に対して横向きに配置されている。
本発明のもう一つの目的は、繋ぎ合わせる構造部材の隠れた又は内部面と境を接するタイを備え、前記タイが視界から大体隠されるようにした継手を提供することである。
本発明のもう一つの目的は、可変寸法の構造部材と用いることのできるタイを用いる継手を提供することである。
本発明のもう一つの目的は、タイを用い他の部材を取付けるのに利用できる構造部材の外部すなわち露出面を残したままである３本の構造部材に用いる角継手を提供することである。
本発明のもう一つの目的は、自動ダイプレス機械装置で生産するために経済的な本発明の継手を作るためのタイを提供することである。
本発明のもう一つの目的は、容易に施工される継手を提供することである。
本発明のもう一つの目的は、３本の直角に配置された部材を接合できる剛継手を提供することである。
本発明のもう一つの目的は、接合された３本の部材の内の一つに他の２本の部材との接合部を過ぎて続くことを可能にする剛継手を提供することである。
本発明のもう一つの目的は、取付けられたとき、継手が接続する構造部材に対してどんな方向に向けられていても、同じ荷重支持品質を与える本発明の継手を作るためのタイを提供することである。
【課題を解決するための手段】
本発明によれば、これは、ａ．第１及び第２の縦側面を有する細長い縦部材、ｂ．第１の底面、第１の側面、及び第１の端を有する第１の細長い横部材であり、前記第１の細長い横部材は、前記細長い横部材の前記第１の端が前記細長い縦部材の前記第１の縦側面と第１の継目を形成するように前記細長い縦部材と交差し、ｃ．第２の底面、第２の側面、及び第２の端を有する第２の細長い横部材であり、前記第２の細長い横部材は、前記細長い縦部材の上の前記第１の継目とほぼ同じ高さで前記細長い縦部材と交差し、前記第２の細長い横部材の前記第２の端が前記細長い縦部材の前記第２の縦側面と第２の継目を形成するようにしており、ｄ．前記第１及び第２細長い横部材を前記細長い縦部材に固く繋ぐための形状をした一体作り剛タイであり、ｅ．前記第１の縦側面取付タブを前記細長い縦部材の前記第１の縦側面に取付ける第１の締め具、ｆ．前記第１の底面取付タブを前記第１の細長い横部材の前記第１の底面に取付ける第２の締め具、ｇ．前記第２の縦側面取付タブを前記細長い縦部材の前記第２の縦側面に取付ける第３の締め具、ｈ．前記第２の底面取付タブを前記第２の細長い横部材の前記第２の底面に取付ける第４の締め具、ｉ．前記第１の側面取付タブを前記第１の細長い横部材の前記第１の側面に取付ける第５の締め具、及びｊ．前記第２の側面取付タブを前記第２の細長い横部材の前記第２の側面に取付ける第６の締め具、を備える構造体における剛交差継手を提供することによって達成される。前記タイは、１．前記細長い縦部材の前記第１の縦側面の一部分と重ねて配置された第１の縦側面取付タブ、２．前記第１の細長い横部材の前記第１の底面の一部分と重ねて配置された第１の底面取付タブ、３．前記第１の縦側面取付タブ及び前記第１の底面取付タブと一体にかつそれらの間に形成された第１の控え板、４．前記細長い縦部材の前記第２の縦側面の一部分と重ねて配置された第２の縦側面取付タブ、５．前記第２の細長い横部材の前記第２の底面の一部分と重ねて配置された第２の底面取付タブ、６．前記第２の縦側面取付タブ及び前記第２の底面取付タブと一体にかつそれらの間に形成された第２の控え板、７．前記第１の細長い横部材の前記第１の側面の一部分と重ねて配置された第１の側面取付タブ、８．前記第２の細長い横部材の前記第２側面の一部分と重ねて配置された第２の側面取付タブ、９．前記第１の側面取付タブと前記第２の側面取付タブと一体にかつそれらの間に形成された第３の控え板、１０．前記第１の控え板、前記第２の控え板及び前記第３の控え板を接続するウェブ部材を備えている。
【発明の実施の形態】
図１に最もよく見られるように、本発明によって施工された剛交差継手の好ましい形は、細長い縦部材１、第１の細長い横部材４、第２の細長い横部材７及び第１と第２の細長い横部材４と７を細長い縦部材１に第１、第２、第３、第４、第５及び第６のファスナー２０、２１、２２、２３、２４及び２５で固く繋ぐように構成された一体作り剛タイ１０を備えている。
好ましい実施形態において、細長い縦部材１は、第１の縦側面２と第２の縦側面３を備え、木製である。第１の細長い横部材４は、第１の底面５、第１の側面６、第１の端面２７を備え、やはり木製である。第１の細長い横部材４は、細長い縦部材１と交差し、第１の細長い横部材４の第１の端面２７と細長い縦部材１の第１の縦側面２の一部分の界面において第１の継目２８を形成する。第２の細長い横部材７は、第２の底面８、第２の側面９、第２の端面２９を備え、やはり木製である。第２の細長い横部材７は、第１の継目２８の近くの細長い縦部材１の上の高さにおいて細長い縦部材と交差する。第２の細長い横部材７の第２の端面２９は、細長い縦部材１の第２の縦側面３の一部分と第２の継目３０を形成する。
本発明において、第１及び第２の継目２８及び３０は、きつい必要はない。例えば、第１の継目２８において、第１の細長い横部材４の第１の端面２７は、剛継手を作るために細長い縦部材１の第１の縦側面２と完全な連続接触をしている必要はない。この特徴は、きつい継目を作るための適当な道具を持たない道楽施工者に剛継手を作ることを可能にする。しかし、第１及び第２の継目２８及び３０は、できるだけきついのが好ましい。
一体作り剛タイ１０は、細長い縦部材１の第１の縦側面２の一部分と重ねて配置された第１の縦側面取付タブ１１及び第１の細長い横部材４の第１の底面５の一部分と重ねて配置された第１の底面取付タブ１２を備えている。第１の控え板１３が第１の縦側面取付タブ１１と第１の底板取付タブ１２と一体にそれらの間に形成されている。好ましい実施形態において、木ねじが第１の縦側面取付タブ１１を細長い縦部材１の第１の縦側面２に取付ける第１のファスナー手段２０として用いられる。好ましい実施形態において、木ねじが第１の底面取付タブ１２を第１の細長い横部材４の第１の底面２に取付ける第２のファスナー手段２１として用いられる。
一体作り剛タイ１０は、細長い縦部材１の第２の縦側面３の一部分と重ねて配置された第２の縦側面取付タブ１４及び第２の細長い横部材７の第２の底面８の一部分と重ねて配置された第２の底面取付タブ１５を備えている。第２の控え板１６が第２の縦側面取付タブ１４と第２の底板取付タブ１５と一体にそれらの間に形成されている。好ましい実施形態において、木ねじが第２の縦側面取付タブ１４を細長い縦部材１の第２の縦側面３に取付ける第３のファスナー手段２２として用いられる。好ましい実施形態において、木ねじが第２の底面取付タブ１５を第２の細長い横部材７の第２の底面８に取付ける第４のファスナー手段２３として用いられる。
一体作り剛タイ１０は、第１の細長い横部材４の第１の側面６の一部分と重ねて配置された第１の側面取付タブ１７を備えている。第２の側面取付タブ１８が第２の細長い横部材７の第２の側面９の一部分と重ねて配置されている。第３の控え板２６が第１の側面取付タブ１７と第２の側面取付タブ１８と一体にそれらの間に形成されている。好ましい実施形態において、木ねじが第１の側面取付タブ１７を第１の細長い横部材４の第１の側面６に取付ける第５のファスナー手段２４として用いられる。好ましい実施形態において、木ねじが第１の側面取付タブ１８を第２の細長い横部材７の第２の側面９に取付ける第６のファスナー手段２５として用いられる。
好ましい実施形態において、三角ウェブ部材１９が第１の控え板１３、第２の控え板１６及び第３の控え板２６と一体にしてそれらを接続して形成されている。
第１及び第２の細長い横部材４及び７を一体作り剛タイによって細長い縦部材１に接続する第１、第２、第３、第４、第５及び第６のファスナー手段２０、２１、２２、２３、２４及び２５は、くぎ、木ねじ、ボルト、接着剤及び溶接であることができる。
好ましい実施形態において、細長い縦部材１並びに第１及び第２の細長い横部材４と７は、木製である。さらに、第１、第２、第３、第４、第５及び第６のファスナー手段は、フィリップスねじ回しを受けることのできる自己穴あけ先端部及び比較的平らなヘッドを形成された木ねじである。比較的平らなヘッドはさらに審美的に好ましい一体作り剛タイ１０の取付タブ１１、１２、１４、１５、１７、及び１８より上に低い輪郭を呈する。
好ましい実施形態は、第１、第２、第３、第４、第５及び第６のファスナー手段２０、２１、２２、２３、２４、及び２５を受ける取付タブ１１、１２、１４、１５、１７及び１８に穴３４を形成されている。
図１に示されているように、本発明の好ましい実施形態において、第１の控え板１３、第２の控え板１６及び第３の控え板２６の形は三角形である。形が三角形である第１、第２及び第３の控え板１３、１６及び２６を備えることが高い剛性を保ちながら心地よい外観を与える。
一体作り剛タイ１０の好ましい実施形態は、２８ＫＳＩ降伏強さと３８ＫＳＩの終局強さを有する２０ゲージのトタン板で作られている。一体作り剛タイ１０を作るのに溶接をまったく必要としないので、形成後塗装を必要としないで、生産費を低減する。
一体作り剛タイコネクタ１０の好ましい実施形態は、トタン板から図７に示された形状にブランク３６を切断することによって形成される。図７を参照すると、三角形ウェブ部材１９は、正三角形なので、角３２は６０°である。第１、第２、及び第３の控え板１３、１６、２６は、二等辺三角形である。図７に示されているように、二等辺三角形の単一角３１は、６５°１０′３７″。取付タブ１１、１２、１４、１７及び１８は、すべて形が同様である。角３３は４０°２３′９″であるのが好ましい。角３１、３１及び３３は、公称５．１ｃｍ×５．１ｃｍ（２″×２″）の細長い構造部材１、４及び７にはまる一体作り剛タイ１０に対して最適化された。取付タブ１１、１２、１４、１５、１７及び１８にある穴３４は、細長い縦部材１にあるネジ２０と２２の間、第１の細長い横部材４にあるネジ２１と２４の間及び第２の細長い横部材７にあるネジ２３と２５の間の間隔を考慮して互い違いに配列されている。
図７に示されているように、好ましい実施形態ににおいて、一体作り剛タイコネクタ１０は、選択された曲げ線４０及び４１においてブランク３６を曲げることによって形成される。まず、ウェブ部材１９は、ブランク３６の外側部分を曲げ線４１において７５°曲げ下げて作られる。次に、控え板１３、１６及び２６は、曲げ線４１において５７°持ち上がった取付タブ１１、１２、１４、１５、１７及び１８になる部分を曲げることによって取付タブ１１、１２、１４、１５、１７及び１８から区別される。一体作り剛タイ１０は、自動化順送りダイ機械装置で形成されるのが好ましい。
本発明に従って好ましい方法で形成された継手のように完成される。木製構造部材が細長い縦部材１として選択される。金属板ブランク３６から形成された一体作り剛タイ１０が細長い縦部材１の第１及び第２の縦側面２及び３と重ねて第１及び第２の側面取付タブ１１及び１４細長い縦部材１にもたれてセットされる。一体作り剛タイ１０は、第１及び第２の底面取付タブ１２及び１５が第１及び第２の細長い横部材４及び７の第１及び第２の底面を受けるに適当な位置にあるように配置される。次に木ねじ２０が第１の取付タブ１１を通して細長い縦部材１の中にねじ込まれる。次に木ねじ２２が第２の取付タブ１４を通して細長い縦部材１の中にねじ込まれる。次に第１の細長い横部材４は、一体作り剛タイコネクタ１０の第１のフランク面と第１の底面取付タブ１７及び１２の間に所望の位置に置かれる。次に木ねじ２４と２１を第１のフランク面と第１の底面取付タブ１７と１２を通して第１の細長い横部材４の中にねじ込まれる。次に第２の細長い横部材７は、一体作り剛タイコネクタ１０の第２の側面と第２の底面取付タブ１８及び１５の間に所望の位置に置かれる。木ねじ２５と２３を第２のフランク面と第２の底面取付タブ１８と１５を通して第２の細長い横部材７の中にねじ込まれ、接続を完了する。
図２に示されているように、本発明に従って形成された継手で作られたスタンド３５において一体作り剛タイ１０がかなりうまく隠されている。さらに、一体作り剛タイが細長い構造部材の露出面又は外側面まで伸びていないので、合板せき板などの仕上げ材料を継手のところでスタンド３５に取付けできる。
図８及び９は、本発明に従い好ましい実施形態のような三角形の第１、第２及び第３の控え板１３′、１６′及び２６′を有する一体作り剛タイ１０′を用いて作られた接続の代わりの実施形態を示す。しかし、この代わりの実施形態のためのブランク３７一体作り剛タイ継手１０′を形成するため図１０に示された異なる曲げ角で曲げるのに適応するようにいくぶん異なって形作られている。代わりの実施形態１０′は、同じ要素で形成され、同様な様式で働く、従ってさらに説明する必要はない。それは好ましい実施形態とすべて同じ要素を備えている。同様の要素を単一プライム符号を付けた同様の番号によって表されている。
図１１、１２及び１３は、本発明に従い好ましい実施形態のような矩形の第１、第２及び第３の控え板１３″、１６″及び２６″を備えている一体作り剛タイ１０″を用いて作られた継手の代わりの実施形態を示す。この代わりの実施形態のためのブランク３８は、矩形の第１、第２及び第３の控え板１３″、１６″及び２６″に適応するように好ましい実施形態と異なって形作られている。図１６を参照のこと。ブランク３８は、点線曲げ線で、図１６に示された指定角で曲げられ、一体作り剛タイ継手１０″を形成する。代わりの実施形態１０″は、好ましい実施形態と同じ要素で形成され、同様な様式で働く、従ってさらに説明する必要はない。それは好ましい実施形態とすべて同じ要素を備えている。同様の要素を二重プライム符号を付けた同様の番号によって表されている。
図１４及び１５は、本発明に従いやはり矩形の第１、第２及び第３の控え板１３″′、１６″′及び２６″′を備えている一体作り剛タイ１０″′を用いて作られた継手の代わりの実施形態を示す。この代わりの実施形態のためのブランク３９は、ブランク３８と異なり、結合される３本の部材の内の２本が他の構造部材よりずっと大きい継手によりよく適応する。ブランク３９は、点線曲げ線で、図１７に示された指定角で曲げられ、一体作り剛タイ継手１０″′を形成する。代わりの実施形態１０″′は、好ましい実施形態と同じ要素で形成され、同様な様式で働く、従ってさらに説明する必要はない。同様の要素を三重プライム符号を付けた同様の番号によって表されている。
【図面の簡単な説明】
【図１】本発明に従って形成された剛継手の好ましい実施例の斜視図である。矢印はファスナーを表している。
【図２】本発明による継手で作られたスタンドの斜視図である。
【図３】図１の線３−３に沿って取られた本発明の平面図である。
【図４】図３の線４−４に沿って取られた本発明の側面図である。
【図５】図４の線５−５に沿って取られた本発明の側面図である。
【図６】図４の線６−６に沿って取られた本発明の底面図である。
【図７】本発明の継手を作る好ましいタイを形成できる切断された金属板のブランクの平面図である。
【図８】本発明に従って形成された代替の継手の斜視図である。
【図９】図８の線９−９に沿って取った平面図である。
【図１０】本発明による継手を形成する代わりのコネクタのブランクの平面図である。
【図１１】本発明に従って形成された代替の継手の斜視図である。
【図１２】図１１の線１２−１２に沿って取られた本発明の平面図である。
【図１３】図１２の線１３−１３に沿って取られた本発明の側面図である。
【図１４】本発明に従って形成された代替の継手の斜視図である。
【図１５】図１４の継手の側面図である。
【図１６】図１１のタイを形成するために曲げることのできるブランクの平面図である。
【図１７】図１４のタイを形成するために曲げることのできるブランクの平面図である。
【符号の説明】
１                                      縦部材
２、３                                  縦側面
４、７                                  横部材
５、８                                  底面
６、９                                  側面
１０                                    剛タイ
１１、１２、１４、１５、１７、１８      取付タブ
１３、１６、２６                        控え板
１９                                    ウェブ部材
【図１】
0004159680.tif 000002
【図２】
0004159680.tif 000003
【図３】
0004159680.tif 000004
【図４】
0004159680.tif 000005
【図５】
0004159680.tif 000006
【図６】
0004159680.tif 000007
【図７】
0004159680.tif 000008
【図８】
0004159680.tif 000009
【図９】
0004159680.tif 000010
【図１０】
0004159680.tif 000011
【図１１】
0004159680.tif 000012
【図１２】
0004159680.tif 000013
【図１３】
0004159680.tif 000014
【図１４】
0004159680.tif 000015
【図１５】
0004159680.tif 000016
【図１６】
0004159680.tif 000017
【図１７】
0004159680.tif 000018